(57)【要約】【課題】リモコンが脱落するのを抑制する固定構造を備え、省資源性及び生産性に優れた空気調和機の室内機を提供することを目的としている。【解決手段】型名が表示されたリモコン３と、リモコン３を収納する収納部１２を内部に有する本体１と、本体１の背面に取り付けられ、収納部１２に収納されたリモコン３の型名を本体１の外側から確認するためのリモコン覗き穴４を有する据付板２と、を備えたものである。【選択図】図１
2014055709.tif 000002
【特許請求の範囲】
【請求項１】
型名が表示されたリモコンと、
前記リモコンを収納する収納部を内部に有する本体と、
前記本体の背面に取り付けられ、リモコン覗き穴を有する据付板と、を備えた
ことを特徴とする空気調和機の室内機。
【請求項２】
前記リモコンは、
前記本体の収納部に収納した際に、前記本体の背面に取り付けられた前記据付板が有する前記リモコン覗き穴と対向する位置に型名が表示されており、
前記リモコン覗き穴は、
前記型名の表示範囲より大きく、且つ、前記リモコンの外周よりも小さい
ことを特徴とする請求項１に記載の空気調和機の室内機。
【請求項３】
前記収納部は、
前記リモコンの左右両側面を挟む第一リブと、
前記リモコンの上下両側面を挟む第二リブと、で構成され
前記第一リブは前記第二リブの内側に設けられている  
ことを特徴とする請求項１又は２に記載の空気調和機の室内機。
【発明の詳細な説明】
【技術分野】
【０００１】
本発明は、リモコンの固定構造を有する空気調和機の室内機に関するものである。
【背景技術】
【０００２】
空気調和機の室内機の組立時において、作業者が数種類のリモコンを扱う場合、それぞれの室内機に対応したリモコンを室内機の確認しやすい位置にテープ等で貼り付けて固定していた。
しかし、この方法だと組立ラインの後工程でテープが剥がれ、リモコンが脱落してしまうことがあった。また、テープ等を使用するため、資源消費を増やしてしまっている。
そこで、リモコンが脱落することがない固定構造を備え、省資源性に優れた空気調和機の室内機が望まれている。
【０００３】
従来、据付板の外側にリモコンをセットし、熱収縮性フィルムによりシュリンク包装を施して固定するという方法を備えた空気調和機の室内機が提案されている（特許文献１参照）。
また、据付板にはネジ孔が設けられており、その据付板の内側にリモコンを収納し、据付板でリモコンを抑えて固定するという方法を備えた空気調和機の室内機が提案されている（特許文献２〜４参照）。
【先行技術文献】
【特許文献】
【０００４】
【特許文献１】特開２０００−０３９１７７号公報（たとえば、［００１３］、図１参照）
【特許文献２】特開２００６−１５０９４６号公報（たとえば、［００５１］、図１５、図１６参照）
【特許文献３】特開２００９−０８１４４８号公報（たとえば、［００４９］、図１５、図１６参照）
【特許文献４】特開２００９−０９０６７０号公報（たとえば、［００４８］、図１５、図１６参照）
【特許文献５】特開２００４−２９４０２７号公報（たとえば、［００１２］、図１参照）
【発明の概要】
【発明が解決しようとする課題】
【０００５】
特許文献１に記載の空気調和機の室内機において、リモコンが脱落するということはない。しかし、リモコンが据付板の外側に固定されているため、製造作業の妨げになって生産性が低くなってしまい、梱包サイズを大きくしなければならず、熱収縮性フィルムも使用するため、資源消費を増やしてしまうという課題があった。
また、特許文献２〜４に記載の空気調和機の室内機において、リモコンが脱落するということはなく、リモコンが据付板の内側に固定されているため、製造作業の妨げにもならない。さらに、梱包サイズを大きくする必要もなく、リモコンを固定するための材料も使用していないため、省資源性に優れている。しかし、据付板には小さいネジ孔しか開いていないため、その孔からリモコンの有無はかろうじて確認できたとしても、正しいリモコンが固定されているかまでは確認できず、生産性が低くなってしまうという課題があった。また、特許文献５に記載の空気調和機の室内機において、据付板に大きな連通孔が設けられているが、大きすぎるとリモコンがその孔から飛び出して脱落してしまう可能性がある。
【０００６】
本発明は、以上のような課題を解決するためになされたもので、リモコンが脱落するのを抑制する固定構造を備え、省資源性及び生産性に優れた空気調和機の室内機を提供することを目的としている。
【課題を解決するための手段】
【０００７】
本発明に係る空気調和機の室内機は、型名が表示されたリモコンと、リモコンを収納する収納部を内部に有する本体と、本体の背面に取り付けられ、リモコン覗き穴を有する据付板と、を備えたものである。
【発明の効果】
【０００８】
本発明に係る空気調和機の室内機によれば、リモコンが脱落するのを抑制する固定構造を備えることが可能である。また、その固定構造は省資源性及び生産性に優れている。
【図面の簡単な説明】
【０００９】
【図１】本発明の実施の形態に係る室内機の梱包状態での背面側分解斜視図である。
【図２】本発明の実施の形態に係る室内機の背面側を示す組立図である。
【図３】据付板の本体への取り付け方法を説明するための説明図である。
【図４】本発明の実施の形態に係る室内機の背面側を示す斜視図である。
【図５】本発明の実施の形態に係る室内機の据付板の詳細図である。
【発明を実施するための形態】
【００１０】
以下、本発明の実施の形態を図面に基づいて説明する。
実施の形態．
図１は、本発明の実施の形態に係る室内機の梱包状態での背面側分解斜視図、図２は、本発明の実施の形態に係る室内機の背面側を示す組立図である。
本実施の形態に係る空気調和機の室内機は、本体１の前面には図示しないが前面パネルが取り付けられており、両側面には側面保護材５が、後面には据付板２が取り付けられることにより外観を構成している。本体１はリモコン３を収納して固定できるようになっており、据付板２はリモコン３を覆うようにして取り付けられる。なお、本体１の背面上方には本体１の強度を補強する補強リブが設けられている。
また、本体１の内部には熱交換器と送風ファンとが設けられており、熱交換器により熱交換された空気を、送風ファンが本体の前面の下部に設けられた吹出口から室内に送出する。なお、リモコン３には型名が記載されており、本体１に収納した際に据付板２側となる面に記載されているものとする。また、その型名はリモコン３に直接記載されていてもよいし、型名が表示されたシール等をリモコン３に貼り付けるのでもよい。
【００１１】
図３は、据付板の本体への取り付け方法を説明するための説明図である。図３（ａ）は、本発明の実施の形態に係る室内機の据付板の上側嵌合部詳細図、図３（ｂ）は、本発明の実施の形態に係る室内機の据付板の下側嵌合部詳細図である。
以下、据付板２の本体１への取付方法について説明する。
本体１の背面上側には据付板取付穴７が設けられており、背面下側には据付板固定用爪９が設けられている。一方、据付板２の上側には、本体１に据付板２を取り付ける際、据付板取付穴７に差し込める位置に据付板取付爪６が設けられており、下側の折り曲げられた部分には据付板固定用爪９を引っ掛けられる位置に据付板固定用穴８が設けられている。
据付板２の据付板取付爪６を本体１の据付板取付穴７に差し込んだ状態で据付板２を図３（ｂ）の矢印方向に押し込み、据付板２の据付板固定用穴８を本体１の据付板固定用爪９に引っ掛けることにより、据付板２を本体１に取り付ける。
なお、図３（ａ）及び図３（ｂ）では据付板取付爪６、据付板取付穴７、据付板固定用穴８、及び据付板固定用爪９の（本体１の背面から見て）右側のみを示しているが、左側にも左右対称となる位置に設けられているものとする。
【００１２】
図４は、本発明の実施の形態に係る室内機の背面側を示す斜視図である。
以下、リモコン３を本体１に固定する方法について説明する。
本体１の背面上方には、第一リモコン固定用リブ１０及び第二リモコン固定用リブ１１が設けられている。第一リモコン固定用リブ１０は第二リモコン固定用リブ１１の内側に位置し、中央部がリモコン３の左右の幅だけ凹んでおり、本体１にリモコン３をセットした際、リモコン３の左右両側面を挟めるような形状となっている。また、第二リモコン固定用リブ１１は本体１にリモコン３をセットした際、上下両側面を挟むような位置に設けられている。これら第一リモコン固定用リブ１０と第二リモコン固定用リブ１１とでリモコン３の収納部１２を形成している。なお図４において、リモコン３の長手方向を上下、短手方向を左右とする。
そして、本体１の収納部１２にリモコン３をセットした際、第一リモコン固定用リブ１０はリモコン３が上下方向に動くのを抑制し、第二リモコン固定用リブ１１はリモコン３が左右方向に動くのを抑制するようになっている。さらに、据付板２が本体１に取り付けられることにより、リモコン３が前後方向に動くのを抑制するようになっている。
以上より、リモコン３を本体１に固定することが可能となる。
なお、第一リモコン固定用リブ１０及び第二リモコン固定用リブ１１を樹脂等の弾性力を有する材料で形成し、第一リモコン固定用リブ１０の凹んでいる幅をリモコン３の左右の幅より小さめにし、第二リモコン固定用リブ１１の設けられている位置もリモコン３の上下の幅よりも小さめにすることで、リモコン３を収納部１２にセットした際、第一リモコン固定用リブ１０及び第二リモコン固定用リブ１１の弾性力を利用して、リモコン３を保持することができる。そのため、据付板２が本体１に取り付けられていない状態でもリモコン３が本体１から脱落するのを抑制することができる。
【００１３】
なお、第一リモコン固定用リブ１０及び第二リモコン固定用リブ１１の高さ（本体１の前後方向の長さ）は、据付板２を本体１に取り付けた際、据付板２に干渉しない高さとする。また、リモコン３を本体１の収納部１２にセットした後で据付板２を取り付けた際も、リモコン３が据付板２に干渉しない程度に第一リモコン固定用リブ１０の中央部が凹んでいるものとする。また、固定用リブ１１の凹んでいる位置はリモコン３を固定できる位置であればよく、厳密に中央部である必要はない。また、第一リモコン固定用リブ１０及び第二リモコン固定用リブ１１は、補強リブの一部を変更して設けてもよいし、補強リブとは別途で設けてもよい。
【００１４】
図５は、本発明の実施の形態に係る室内機の据付板の詳細図である。
以下、据付板２について説明する。
据付板２には、据付板２を本体１に取り付けた際に本体１の収納部１２に収納されたリモコン３に記載された型名と対向する位置に、リモコン３の長手方向に延びた楕円形状のリモコン覗き穴４が設けられている。このリモコン覗き穴４の大きさは、リモコン３に記載された型名の表示範囲より大きく、リモコン３の外周よりも小さいものとする。ここで、リモコン３が収納部１２からはずれて傾いたりしても、リモコン３がリモコン覗き穴４から飛び出して本体１から脱落するのを防止できる大きさであればなおよい。これにより、本体１の外側からリモコン覗き穴４を通してリモコン３に記載された型名が確認でき、リモコン３がリモコン覗き穴４から飛び出して本体１から脱落するのを抑制することができる。
なお、本実施の形態ではリモコン覗き穴４は楕円形状としたが、リモコン３に記載された型名が確認でき、リモコン３が本体１から脱落するのを抑制できれば他の形状でも構わない。
【００１５】
以上のように、本実施の形態に係る室内機によれば、本体１の収納部１２にリモコン３をセットした状態で据付板２を取り付けることで、リモコン３を据付板２の内側に固定することが可能である。そしてリモコン３は据付板２の内側に固定されているため、製造作業の妨げにならない。また、梱包サイズを大きくする必要もなく、リモコン３を固定するための材料も使用しないため、省資源性に優れている。さらに、据付板２にリモコン覗き穴４を設けることによって、本体１の外側からリモコン覗き穴４を通してリモコン３に記載された型名が確認でき、リモコン３がリモコン覗き穴４から飛び出して本体１から脱落するのを抑制することができるため、生産性にも優れている。
【符号の説明】
【００１６】
１  本体、２  据付板、３  リモコン、４  リモコン覗き穴、５  側面保護材、６  据付板取付爪、７  据付板取付穴、８  据付板固定用穴、９  据付板固定用爪、１０  第一リモコン固定用リブ（第一リブ）、１１  第二リモコン固定用リブ（第二リブ）、１２  収納部。
【図１】
2014055709.tif 000003
【図２】
2014055709.tif 000004
【図３】
2014055709.tif 000005
【図４】
2014055709.tif 000006
【図５】
2014055709.tif 000007